Podtech/llm-jp-corpus-v4-ja_patent huggingface dataset:
(57)【要約】      （修正有）【課題】九九を覚えるための数式と数字だけのカードを改良し、従来の記憶する学習と同時にかけ算の意味や積の量感を身につけさせ、１０進数への理解も深め、学習に興味を持って取り組める効果を持ったかけ算九九カードを提供する。【解決の手段】カードの数式側１に被乗数ごとに集合させ具体物を乗数分書き入れる事により、実数の具体物を見ながら学習でき、そのことからかけ算の意味を理解することができる。具体物を学習者に選択可能にすることで興味を増して学習することができる。また、積の側２には被乗数ごとに整列させた半具体物を乗数列整列させて書き入れ、加えて、その半具体物を１０ごとに線で区切っておくことにより一目で積の大きさを掴むことができる。九九を覚えるのと同時に、かけ算の意味と量感を獲得させるのに役立つ。【選択図】図１
0003151211.tif 000002
【実用新案登録請求の範囲】
【請求項１】
数式と同じ面に、被乗数を表す具体物を乗数の数入れることで、かけ算の意味も同時に気づくようにする。
【請求項２】
被乗数を表す具体物は興味を持つものから選べるようにして、かけ算の意味を自然と習得できるようにする。
【請求項３】
積を書いた面に、半具体物の●でその数量を表すようにして、かけ算九九の積についての量感もいっしょに身につける。
【請求項４】
積を表した半具体物の●は、１０ごとに線で囲み、積がすぐ分かるようにするとともに、１０進数への理解も深める。
【考案の詳細な説明】
【技術分野】
【０００１】  本考案は、数字と数式に具体物と半具体物を書き加えた、九九カードに関するものである。
【背景技術】
【０００２】  かけ算九九の学習をするとき、九九の暗唱に偏りがちであり、かけ算の意味や量感については別途の学習によっていた。
【考案の開示】
【考案が解決しようとする課題】
【０００３】  暗唱に偏った学習は学習者の負担の割にはかけ算に対するしっかりした理解が得られにくく、後の算数学習のしっかりした基礎を身につけにくい。そこで、九九を覚えながら、かけ算の意味や量感の獲得を可能にしようというものである。
【課題を解決するための手段】
【０００４】  本考案は、九九カードの数式の側に被乗数ごとに集合させた具体物を乗数分書き入れかけ算の意味の理解を図り、積の側に被乗数ごとに整列させた半具体物を書き入れることにより、数を暗記するだけでなく、同時に数量感を獲得させようとするものである。
【考案の効果】
【０００５】  上述の様に、本考案のかけ算の意味・量感獲得九九カードは九九カードとしてかけ算九九暗唱に使えることは勿論、被乗数ごとに集合した具体物を見ながら学習することにより、同量のいくつ分というかけ算の基本を理解でき、また、積側に数字に加えて半具体物で数量を示すことにより、積の量感獲得にも役立つ。
【考案を実施するための最良の形態】
【０００６】  九九カードを用いてかけ算九九を暗唱しようとするとき、学習者が選んだ数式を表現する具体物を見ながら学習することとなり、暗唱と同時にかけ算の意味をも理解する効果を持つ。また、積を確かめるとき、整列された半具体物をも見るため、その数量感も掴むことができる。
【実施例】
【０００７】  以下、添付図面に従って実施例を説明する。１は覚えようとするかけ算九九の数式、２は数式の表す具体物を被乗数ごとの集合にして示されるものである。学習者は、九九を覚えようとするとき、かけ算の意味を表す具体物を見ながら学習することとなり、知らず知らずのうちにかけ算の意味までも習得することとなる。【０００８】  ２の具体物の選択を学習者にさせることによって、かけ算九九学習への意欲を増すことができる。【０００９】  ３は積を表す数字であり、４はその数量を半具体物で表したものである。学習者は積を数字で見ると同時に半具体物の集合を見ることによって積の量感を確かめることができる。【００１０】  ４の半具体物を表示するとき、それを十ごとに線で区分してあるので、その数量を半具体物の図からも容易に知ることができるとともに、十進位取りについての理解も深めることができる。
【図面の簡単な説明】
【００１１】
【図１】  本考案の数式側に具体物を記入した例を示す図である。
【図２】  本考案の積側に半具体物を記入した例を示す図である。
【符号の説明】
【００１２】１  かけ算の数式
２  具体物
３  かけ算の積
４  半具体物
【図１】
0003151211.tif 000003
【図２】
0003151211.tif 000004
【手続補正書】
【提出日】平成21年3月11日(2009.3.11)
【手続補正１】
【補正対象書類名】実用新案登録請求の範囲
【補正対象項目名】請求項１
【補正方法】変更
【補正の内容】
【請求項１】
一方の面に数式が記載され、他方の面に積が記載された九九カードにおいて、数式と同じ面に、被乗数を表す具体物を乗数の数書き入れたことを特徴とする九九カード。
【手続補正２】
【補正対象書類名】実用新案登録請求の範囲
【補正対象項目名】請求項２
【補正方法】変更
【補正の内容】
【請求項２】
具体物は、使用者によって選択可能となっていることを特徴とする、請求項１に記載の九九カード。
【手続補正３】
【補正対象書類名】実用新案登録請求の範囲
【補正対象項目名】請求項３
【補正方法】変更
【補正の内容】
【請求項３】
積を記載した面に、半具体物の●を被乗数個を１列として、乗数列並べて記載したことを特徴とする、請求項１または２に記載の九九カード。
【手続補正４】
【補正対象書類名】実用新案登録請求の範囲
【補正対象項目名】請求項４
【補正方法】変更
【補正の内容】
【請求項４】
積の数記載した半具体物の●を１０ごとに線で囲んだことを特徴とする、請求項３に記載の九九カード。
(57)【要約】      （修正有）【課題】マナ板で調理する場合、調理する物が、マナ板からこぼれないようにするマナ板用Ｌ字型柵を提供する。【解決手段】マナ板２から調理する物がこぼれないようにする為の柵として、プラスチック製、又は、木製でマナ板に合ったＬ字型柵１を製作する。該Ｌ字型柵１をマナ板の上にのせて、調理すると、食材がこぼれるのを、相当、防ぐ事が出来るようになる。【選択図】図１
0003151216.tif 000002
【実用新案登録請求の範囲】
【請求項１】
マナ板で調理する場合、物によってはマナ板からこぼれるのを防ぐ為のプラスチック製、木製で制作したＬ字型のマナ板用柵
【考案の詳細な説明】
【技術分野】
【０００１】本考案は、野菜とかをマナ板で調理する場合、マナ板の上に置くＬ字型柵である。
【背景技術】
【０００２】先行技術として、特開２００６−３４１０５６、とって付きチリ取り型Ｌ字型柵付マナ板がある。これは、左なら左、右なら右だけにしか使えない
【考案の開示】
【考案が解決しようとする課題】
【０００３】マナ板で調理している物が、途中でマナ板からこぼれないような物を開発する事が課題である。
【課題を解決する為の手段】
【０００４】マナ板の上に木制、プラスチック制の材量でＬ字型の柵を置く事によって、調理中の物が、こぼれるのを防ぐようにした。
【考案の効果】
【０００５】マナ板上で、調理中、Ｌ字型柵によって、食材のこぼれるのを全てでは無いけれど、かなり多く防ぐ事が出来た。マナ板で調理する世界、日本の一般家庭、業務用の場で、実用性を除々に認められて普及するのではと予測する。左右どちらにも置けて、使用出来るから便利である。
【図面の簡単な説明】
【０００６】
【図１】本考案のＬ字型柵を示す上面図である。
【符号の説明】
【０００７】１    Ｌ字型柵
２    マナ板
【図１】
0003151216.tif 000003
【手続補正書】
【提出日】平成21年3月13日(2009.3.13)
【手続補正１】
【補正対象書類名】実用新案登録請求の範囲
【補正対象項目名】全文
【補正方法】変更
【補正の内容】
【実用新案登録請求の範囲】
【請求項１】
包丁で、マナ板で調理する場合、物によってはマナ板からこぼれるのを防ぐ為のプラスチック製又は木製で制作したＬ字型のマナ板用柵
(57)【要約】【課題】  放熱板に取り付けられたＬＥＤからの光を、広範囲に外部へ照射することができる柱状反射レンズを提供すること。【解決手段】  本考案の柱状反射レンズ１は、発光部から放射された光を集光し、レンズの縦方向に複数内設された反射面２により、側面方向の広範囲に照射できることを特徴とする。また、前記反射面２の形状および柱状反射レンズ１の横断面形状を変えることにより、多様な照射光が得られる。【選択図】図１
0003151273.tif 000002
【実用新案登録請求の範囲】
【請求項１】
発光部から放射された光を、側面方向に反射するための反射面が複数縦列方向に内設されている柱状反射レンズ。
【請求項２】
前記反射面が円錐面である請求項１に記載の柱状反射レンズ。
【請求項３】
前記反射面が角錐面である請求項１に記載の柱状反射レンズ。
【請求項４】
前記反射面がＶ字面である請求項１に記載の柱状反射レンズ。
【請求項５】
発光部として発光ダイオードを用いた、請求項１に記載の柱状反射レンズ。
【考案の詳細な説明】
【技術分野】
【０００１】  本考案は、発光ダイオード（ＬＥＤ）を具備した種々の照明器具において、発光源の光を広範囲に外部に照射することが可能な柱状反射レンズに関する。
【背景技術】
【０００２】  １Ｗ以上の高出力ＬＥＤを用いた電球型照明器具や直線状に配列した照明器具が開発されている。しかしながら、これらのＬＥＤ照明器具では、ＬＥＤ素子や回路素子の保護のため、放熱板が不可欠となっている。従来のフィラメント型電球では、フィラメントは電球の中央部に突き出して取り付けられるため、電球面全域から光が照射されているのに対して、ＬＥＤを用いた場合には、放熱の必要から光源を電球の付け根の位置に取り付けざるを得ないため、光が十分に拡散しにくい欠点があった。
【先行技術文献】
【特許文献】
【０００３】
【特許文献】特許第３３００７７８号  公報
【考案の概要】
【考案が解決しようとする課題】
【０００４】  本考案は、ＬＥＤからの発光を集光し、光源から離れた位置で拡散する柱状反射レンズにより前記欠点を除く照明器具を提供することにある。
【課題を解決すための手段】
【０００５】  上記問題を解決するために本考案の柱状反射レンズは、発光部から放射された光を集光し、側面方向に反射するための反射面が複数縦列方向に内設されていることを特徴とする。なお、このレンズに類し、上記の先行技術文献がある。
【考案の効果】
【０００６】  上述の様に、柱状反射レンズを適用することにより、放熱板に取り付けられたＬＥＤの光を、光源から離れた位置で照射することが可能な照明器具を提供することができる。さらに、この反射面の形状および段数を光源の強度などによって選択することにより、一般照明から装飾的照明まで多様な照明器具とすることができる。
【図面の簡単な説明】
【０００７】
【図１】本考案の円柱型反射レンズの断面図である。
【図２】本考案の円錐型反射レンズの断面図である。
【図３】円柱型反射レンズの実施例であるＬＥＤ照明器具を示す一部断面図である。
【図４】円柱型反射レンズ照明器具にカバーを具備した一部断面図である。
【図５】円錐型反射レンズの実施例であるＬＥＤ照明器具を示す一部断面図である。
【考案を実施するための形態】
【０００８】  以下、本考案における柱状反射レンズを、実施の形態に基づき説明する。図１及び図２に示す柱状反射レンズ１は、レンズ底面からの入射光（図中矢線）をレンズ内部に設けられた反射面２により側面方向に照射することを特徴とする。即ち、レンズ底面から入射された光は、柱状レンズにそって伝播し、柱状体に内設された面２により反射され、レンズの側面方向に照射される。
【０００９】  反射面２は複数設けられ、１段目で横方向に反射するとともに、１部通過した光が２段目で反射、さらに３段目で反射することで、底面から入射された全光は徐々に側面方向と前方に照射される。なお、図では３個の反射面を示してあるが、この反射面の数及び間隔は光源の光強度や用途に応じて決定される。
【０００１０】  また反射面２は円錐形状，角錐形状，指数関数形状、Ｖ字形状などとすることができる．
【０００１１】  レンズの断面形状は、用途に応じて円形、多角形とすることで、それぞれに特色ある反射光を得ることができる。また、軸心方向に関しては、図１に示すように円柱状および図２のような円錐状とすることができる。
【実施例】
【０００１２】  図３は、本考案の柱状反射レンズを、放熱を要する高出力ＬＥＤを用いた照明器具に応用した円柱型反射レンズＬＥＤ照明器具の例である。【０００１３】  図３において、ＬＥＤ３は柱状レンズ１下部の放熱板４に取り付けられ、柱状レンズ１の底面からレンズに光を入射する。図中６はレンズを保持するホルダーであり、熱によるレンズの劣化を避けたい材質においては、放熱板の熱を遮断するようにする。底面から入射された光は、前項図１及び図２にて述べられた原理により、ＬＥＤの光源より離れた位置で入射光を側面方向に照射することができる。以上のとおり、光源の位置を移動する効果を得ることができるため、従来のフィラメントを用いた電球と同様な拡散光が得られる。【０００１４】  上記柱状反射レンズ１の材質としては、樹脂、ガラス、水晶など透光性のあるものが適当である。また、柱状レンズに色を施すことにより、多様な用途に適合する照明器具とすることができる。即ち、従来の電球や電球型ＬＥＤ照明のように、球殻ガラスを必要とすることなく、製造コストを大幅に減額することができる。【０００１５】  図４は、図３の円柱型反射レンズＬＥＤ照明器具８にカバー９を具備したものである、このカバー９は、樹脂、ガラスなどにより成り、形状も球形、円筒状、立方形状とすることができる。また、カバーに蛍光物質を塗布することで、光の色調を変えることができる。【０００１６】  図５は、図２の円錐型反射レンズを応用したＬＥＤ照明器具の例である。柱状反射レンズを円錐形状とすることで、ＬＥＤを複数用いた高照度照明器具に適用できる。
図５の例では、電源部に既存の白熱電球に適合する口金１０を具備することにより白熱電球に代替でき、消費電力を削減することができる。【０００１７】  なお、本考案の柱状反射レンズは、当然のことであるが、円形及び直線状に多数配列されたＬＥＤに対しても適用できる。
【符号の説明】
【０００１８】  １  柱状反射レンズ
２  反射面
３  発光ダイオード（ＬＥＤ）
４  放熱板
５  電源回路部
６  反射レンズホルダー
７  照明器具取付け板
８  円柱型反射レンズＬＥＤ照明器具
９  カバー
１０  口金
【図１】
0003151273.tif 000003
【図２】
0003151273.tif 000004
【図３】
0003151273.tif 000005
【図４】
0003151273.tif 000006
【図５】
0003151273.tif 000007
(57)【要約】      （修正有）【課題】不要となった靴下を漁具として再利用できる骨組み体を提供する。【解決手段】足型の外観を有する骨組み体であって、骨組みに返し２やつめ３、そして紐を通す為の穴を有する錘４を取り付けられたことを特徴とする。【選択図】図１
0003151277.tif 000002
【実用新案登録請求の範囲】
【請求項１】
骨組み体であって、骨組み体に穴を有する錘や漁具の部品に使用される返しが取り付けられていると共に、靴下を被せやすい足型をした形状をなしていることを特徴とする骨組み体。
【考案の詳細な説明】
【技術分野】
【０００１】  本考案は、河川や海洋の水中で、魚類を捕獲する目的で使用される返し付きの罠に関する。
【背景技術】
【０００２】  従来、魚類を捕獲する目的の返しが取り付けられた罠は、様々な形状や機能の製品が製造され漁具として使用されている。しかしながらそれらは、構造的には、単に容器の口に返しを取り付けただけのものである。【０００３】  返しが取り付けられた罠の機能は、その容器内に一旦入り込んだ魚類を外部に逃がさずそのまま収容し続けることのみである。【０００４】  なお、本考案に関連する公知技術として次の特許文献１を挙げることができる。【０００５】
【特許文献１】  特許公開２００２−２９１３７５
【考案の開示】
【考案が解決しようとする課題】
【０００６】  上記の如く、従来技術に係る返しが付けられた罠は、その容器内に入り込んだ魚類を逃がさずに収容するだけの機能であって漁具以外の機能はほとんど無いので、この返しが付けられた罠を漁以外の利用目的で使用することは難しい。【０００７】  このため、返しが付けられた罠は魚類捕獲以外の目的で使用することがほとんど出来ずにいて、廃品のリサイクルに役立つような事などはまるで無いという現状である。【０００８】  本考案は、このような点を考慮し成された物であり、その目的は、返しが付けられた罠に靴下を被せやすいような足型の形状の骨組み構造を持たせる事で、不要となった靴下を漁具として再利用できるようにすることである。
【課題を解決するための手段】
【０００９】  上記の目的を達成する本考案の靴下を被せると漁具になる骨組み体は、骨組み体であって、骨組み体に穴を有する錘や漁具の部品に使用される返しが取り付けられていると共に、靴下を被せやすい足型をした形状をなしていることを特徴とする。
【考案の効果】
【００１０】  以上説明したように、本考案によれば、外観が足型をなす骨組み体に穴を有する錘と返しを取り付け、その骨組み体に容器の壁面代わりとしての靴下を被せられるようにしたので、返しが付けられた罠に不要となった靴下を漁具として再利用することが可能となる機能を持たせられる。この骨組み体を例えば魚漁を趣味とする人間が漁具として使用することで、漁を楽しみながら地球上の有限資源から製作された靴下を再利用することが可能となり、省資源に有効である。
【考案を実施するための最良の形態】
【００１１】  以下、本考案の実施の形態を図面に基づき詳細に説明する。【００１２】  図１から図３は、本考案の実施の形態に係り、図１はその外観斜視図、図２はその靴下を装着して使用した状態を横から視た場合の外観図である。【００１３】  図１で示すように、本靴下を被せると漁具になる骨組み体は、足型の外観を有する形状をなした骨組１に、返し２とつめ３、そして錘４が取り付けられている。【００１４】  図１、図２で示すように、本靴下を被せると漁具になる骨組み体は、靴下を被せられるほどの大きさである。【００１５】  図１で示すように、返し２は、針状をなさずに人体に刺さらない形状を有する。【００１６】  図２で示すように、つめ３は、靴下６の生地を突き抜けるほどの鋭角を有する。【００１７】  図１、図２で示すように、錘４にあけられた穴５の径は、紐７を通せるほどの広さを有する。【００１８】  本靴下を被せると漁具になる骨組体を構成する骨組１、返し２、つめ３、錘４は何れも水に溶けず且つ相対的に耐腐食性を有する素材で造られている。
【産業上の利用可能性】
【００１９】  本考案は、漁具を製造、販売する産業分野で利用する事ができる。
【図面の簡単な説明】
【００２０】
【図１】  本考案の実施の形態に係る靴下を被せると漁具になる骨組み体の外観斜視図である。
【図２】  図１の靴下を被せると漁具になる骨組み体の靴下を装着して使用した状態を横から視た場合の外観図である。
【符号の説明】
【００２１】  １        骨組
２        返し
３        つめ
４        錘
５        穴
６        靴下
７        紐
８        水底
【図１】
0003151277.tif 000003
【図２】
0003151277.tif 000004
(57)【要約】      （修正有）【課題】水だけで簡単に汚れを落とす清掃用具を提供する。【解決手段】スポンジ材４の表側において、基材２表面に動物性研磨材３を接着含有した層があり、基材２裏面においてスポンジ材４と接着し、更に取っ手を有する支持体７の端部が先のスポンジ材の裏側において接着構成することを特徴とする。【選択図】図２
0003151276.tif 000002
【実用新案登録請求の範囲】
【請求項１】
スポンジ材の表側において、基材表面に動物性研磨材を接着含有した層があり、基材裏面においてスポンジ材と接着された清掃用具。
【請求項２】
請求項１記載の清掃用具において、取っ手を有する支持体の端部が、スポンジ材の裏側において接着された清掃用具。
【請求項３】
動物性研磨材が貝殻の粉砕粒子である請求項１又は２に記載の清掃用具。
【請求項４】
貝殻がホタテ貝である請求項３に記載の清掃用具。
【請求項５】
貝殻の粉砕粒子の大きさが６０ミクロン以下である請求項３に記載の清掃用具。
【請求項６】
スポンジ材がウレタンスポンジである請求項１又は２に記載の清掃用具。
【考案の詳細な説明】
【技術分野】
【０００１】  本考案は、キッチン、バス、トイレ、洗面台などの水回りの汚れを落とす清掃用具に関する。
【背景技術】
【０００２】  従来、清掃用具として特にキッチン、バス、トイレ、洗面台などの水回りの汚れを落とすものとしては、スポンジやたわし、更には濡れぷきんなどを用い、汚れがひどい場合は研磨材入りの洗剤などで落としていた。【０００３】  又、洗剤を用いずに洗浄力が得られるものとして、スポンジ基材の表面などに粒状の重層又は粒状のクエン酸を含む摺擦体で構成された清掃用具が提案されている。
【先行技術文献１】
【０００４】
【特許文献】  登録実用新案第３１３５５５３号公報
【考案の概要】
【考案が解決しようとする課題】
【０００５】  しかしながら、特許文献１のような清掃用具は、洗剤としてあくまでも重層やクエン酸が用いられているため、体に無害であるといっても、万が一作業中や廃水中の酸性やアルカリ性のものと混ざってしまうと化学反応が起こるなどの危険性があった。又、生分解されるとはいえ、分解されるには時間が必要でかなり希釈されなければならないという欠点があった。
【課題を解決するための手段】
【０００６】  本考案の清掃用具は、スポンジ材の表側において、基材表面に動物性研磨材を接着含有した層があり、基材裏面においてスポンジ材と接着されたことを特徴とする。更に、取っ手を有する支持体の端部が、スポンジ材の裏側において接着されたことを特徴とする。
【考案の効果】
【０００７】  本考案の清掃用具は以上のような構成であるため、キッチン、バス、トイレ、洗面台などに付着したカルシウムや水アカなどを、被清掃物を傷つけることなく、水だけで簡単に除去できる。
又、動物性研磨材あるホタテ貝のような大量に出る廃棄物を原料としているため、資源のリサイクルやエコロジーに優れたものとなる。
【図面の簡単な説明】
【０００８】
【図１】本考案の第一実施例を示す斜視図である。
【図２】本考案の第二実施例を示す斜視図である。
【考案を実施するための形態】
【０００９】本考案における清掃用具の大きさ、デザイン、厚み、材質、製造方法などは特に限定される事はないが、清掃の作業に適するような片手で握れるサイズのものが好ましい。
【００１０】  基材は耐水性処理布としているものがその用途から適している。
まず該基材表面に一次接着剤を塗布する。該一次接着剤にホタテ貝の粉砕粒子からなる動物性研磨材を静電塗布する。次にこの基材を乾燥炉で仮乾燥した後、静電塗装された動物性研磨材の表面に更に二次接着剤を塗布して乾燥処理し、接着含有した層を形成する。
一方、基材の裏面には、水透過性機能を有するウレタンスポンジが接着される。本考案で言う貝殻とは貝類の外面に分泌する硬組織のことで、代表的な生体鉱物のことを言う。基本的には炭酸カルシウムの結晶とタンパク質を主とする物質の複合体からなる殻本体と、キチン質の殻皮とからなるものを言う。
これら貝殻は軟体動物の総称であり、はっきりとした貝殻を持つもので、特にホタテ貝、牡蠣、アサリなどの二枚貝、サザエのような巻貝などが挙げられるが、その中でも二枚貝のホタテ貝の粉砕粒子が好ましい。
【００１１】  なお貝殻の粉砕粒子の大きさが６０ミクロン以下のパウダー状であるものがＩＨのガラスレンジ台や陶器製の便器等においても傷つけずに綺麗に清掃出来ることが実験より得られた。
【００１２】  基材裏面には、プラスチックを発泡成形して作られる合成スポンジが接着され、特にウレタンスポンジが易加工性、接着性、水透過性、耐磨耗性などの面から適している。
【００１３】  更にスポンジ材の裏側において、取っ手を有する支持体の端部が接着されることで手を汚さない清掃用具とすることが出来る。
以下、実施例と図に基づき説明する。
【実施例】
【００１４】  以下、本考案の一実施例を図１及び図２で説明するが、これによって本考案はなんら限定されるものではない。【００１５】  図１は本考案の第一実施例を示し、清掃用具（１）において基材（２）表面にホタテ貝の貝殻粉砕粒子からなる動物性研磨剤（３）を接着含有した層（５）を設けておく。この基材（２）裏面には、スポンジ材（４）としてウレタンスポンジが接着されている。また清掃用具（１）の外形は、掃除箇所のすみずみまで清掃出来るよう矩形形状にカットされている。【００１６】  図２では本考案の第二実施例を示し、図１の第一実施例のうち、円形にカットされたスポンジ材（４）の裏側において、取っ手（６）を有する支持体（７）の端部が接着されていることで片手で握り、水で濡らして清掃する際、手が汚れないものとなる。
【産業上の利用の可能性】
【００１７】  キッチン、バス、トイレ、洗面台などに付着したカルシウムや水アカなどを被清掃物を傷つけずに水だけで簡単に除去できる清掃用具である。
特に動物性研磨材であるホタテ貝のような大量に出る廃棄物を原料としているため、資源のリサイクルやエコロジーに優れた清掃用具となる。
【符号の説明】
【００１８】１  清掃用具    ２  基材    ３  動物性研磨材
４  スポンジ材  ３  接着含有した層    ６  取っ手
７  支持体
【図１】
0003151276.tif 000003
【図２】
0003151276.tif 000004
(57)【要約】      （修正有）【課題】効率よくウブ毛やむだ毛をとることができる手動式脱毛器を提供する。【解決手段】回転軸のまわりに螺旋状体を巻きつけて弓状体をつくり、この弓状体を複数とりつけたことを特徴とする。【選択図】図５
0003151274.tif 000002
【実用新案登録請求の範囲】
【請求項１】
回転軸のまわりに螺旋状体を巻きつけて弓状体をつくり、この弓状体を複数とりつけた、手動式脱毛器。
【考案の詳細な説明】
【技術分野】
【０００１】本考案は手足のウブ毛、むだ毛を取り除く脱毛器に関するものである。
【背景技術】
【０００２】従来の手動式脱毛器には［図１］の回転軸に螺旋状体を巻きつけた弓状体を［図２］のハンドルにとりつけた［図４］の形状のものがある。
【考案の開示】
【考案が解決しようとする課題】
【０００３】［図４］の従来の手動式脱毛器は［図１］の弓状体のすきまにウブ毛、むだ毛をはさんで抜きとる構造である。弓状体のすきまは、中央部のすきま▲１▼と末端部のすきま▲２▼とでは、すきまの大きさや方向が違い、確実にウブ毛やむだ毛をはさみとれない。
【課題を解決するための手段】
【０００４】［図１］の弓状体のほかに［図３］の新たな弓状体をとりつけた［図５］の手動式脱毛器を提供する。
【考案の効果】
【０００５】［図４］の従来の手動式脱毛器より、［図５］の本考案の複数の弓状体をつけた手動式脱毛器のほうが、ウブ毛、むだ毛の部分を複数回多く接して、より効率よく、ウブ毛、むだ毛をとることができる。
【実施例】
【０００６】［図５］のように複数の弓状体を持つことにより、複数回多くウブ毛、むだ毛をとることができる。
【産業上の利用可能性】
【０００７】［図５］のように複数の弓状体を持つことにより、効率よくウブ毛、むだ毛をとることができ、ウブ毛、むだ毛処理の時間を短縮することができる。
【図面の簡単な説明】
【０００８】
【図１】弓状体
【図２】ハンドル
【図３】新たな弓状体
【図４】弓状体を１つつけた従来の手動式脱毛器
【図５】弓状体を複数つけた本考案の手動式脱毛器
【図１】
0003151274.tif 000003
【図２】
0003151274.tif 000004
【図３】
0003151274.tif 000005
【図４】
0003151274.tif 000006
【図５】
0003151274.tif 000007
(57)【要約】      （修正有）【課題】餌の装着が容易で、かつ、餌が長持ちし、最初から擬餌が一体となり餌の交換が不要なタコ掛けの如く簡単にタコが狙えるタコ掛けを提供する。【解決手段】中心棒８の後方にタコ掛け針２を溶接し、前方より餌カゴ下部３、オモリ、擬餌７を被せた餌カゴ上部６の順に通した後、中心棒８の先端に道糸接続管９を形成する。この構造により、餌は充填するだけと容易になり、かつ、餌は餌カゴで保護されているため長持ちし、餌の交換が少なくて済むため手が汚れず、余分な餌も必要ない、タコ掛けを構成することができる。【選択図】図３
0003151267.tif 000002
【実用新案登録請求の範囲】
【請求項１】
開閉可能な餌カゴにタコ掛け針とオモリを装着し道糸接続部を設けた、餌を充填して使用するタコ掛け。
【考案の詳細な説明】
【技術分野】
【０００１】  本考案は、タコ釣り用のタコ掛けに関するものである。
【背景技術】
【０００２】  従来のタコ掛けは木製、或は合成樹脂製の板状の本体の底面にオモリが装着され、タコ掛け針が上向きに装着され、先端部に道糸が接続できる形状が一般的で、このタコ掛けの上面に魚や鶏肉、脂身等の餌、または擬餌を乗せ、針金等で縛りタコ釣りを行うのが普通であった。【０００３】
【先行技術文献】
【特許文献】
【０００４】
【特許文献１】  実用新案２０００−００１０７３号
【考案の概要】
【考案が解決しようとする課題】
【０００５】  しかしながら、前述した餌を乗せて針金等で縛るという行為は、実際に行うと非常に面倒で作業であり、また針金等で強固に縛っても、何度もキャストを繰り返すうちに、針金等が緩んだり、餌が身崩れしたりして幾度となく餌の交換を余儀なくされ、大変面倒であり、手が汚れる、余分な餌も必要になるという問題があった。【０００６】  また、最初から擬餌が一体となり餌の交換が不要なタコ掛けもあるが、擬餌自体には臭いも味もないため、釣果は本物の餌には及ばないという問題があった。【０００７】  本考案はこれらの問題を解決し、餌の装着が容易で、かつ、餌が長持ちし、最初から擬餌が一体となり餌の交換が不要なタコ掛けの如く簡単にタコが狙えるタコ掛けを提供するものである。
【課題を解決するための手段】
【０００８】  本考案は、開閉可能な餌カゴにタコ掛け針とオモリを装着し、この餌カゴ内に魚や鶏肉、脂身等の餌を充填することで問題を解決し、更に餌カゴに疑似を装着する。
【考案の効果】
【０００９】  上記の構造により、餌の装着が充填するだけと容易になり、かつ、餌は餌カゴで保護されているため長持ちし、餌の交換が少なくて済むため手が汚れず、余分な餌も必要ない、極めて使い勝手の良いタコ掛けが提供でき釣果が向上する。【００１０】  また、餌カゴに疑似を装着することにより、更に強くタコを誘うタコ掛けが提供でき釣果が向上する。
【図面の簡単な説明】
【００１１】
【図１】本考案餌カゴ式タコ掛けの一例を示す斜視図である。
【図２】本考案餌カゴ式タコ掛けの一例を示す分解斜視図である。
【図３】本考案餌カゴ式タコ掛けに餌を充填する状態の一例を示す斜視図である。
【考案を実施するための形態】
【００１２】  ステンレス製等の剛性のある線状材を中心棒にし、この中心棒にタコ掛け針と開閉可能な餌カゴ、オモリ、擬餌を装着することで、本考案餌カゴ式タコ掛けとする。
【実施例】
【００１３】  以下、添付図面に従って一実施例を説明する。【００１４】  図１は、本考案餌カゴ式タコ掛けの一例を示す斜視図である。図２は、本考案餌カゴ式タコ掛けの一例を示す分解斜視図である。図により明らかなように本考案餌カゴ式タコ掛け１は、道糸接続管９を有す中心棒８と、タコ掛け針２とオモリ５、窓孔４を有す餌カゴ下部３及び餌カゴ上部６、擬餌７から構成する。【００１５】  中心棒８の素材については、ステンレス製等の剛性のある線状材が、錆びに強く、成型が容易な点等において適している。また、擬餌７については、タコベイトが実績も高く、中空であるため餌カゴ上部６に被せやすい点においても適している。【００１６】  中心棒８の後方にタコ掛け針２を溶接し、前方より餌カゴ下部３、オモリ５、擬餌７を被せた餌カゴ上部６の順に通した後、中心棒８の先端に道糸接続管９を形成する。【００１７】  図３は、本考案餌カゴ式タコ掛けに餌を充填する状態の一例を示す斜視図である。図により明らかなように、魚や鶏肉、脂身等の餌を充填させる際は、擬餌７を被せた餌カゴ上部６を前方にスライドさせ、開口部１０より充填すれば良い。【００１８】  本考案餌カゴ式タコ掛けの一実施例は前述の如き構成からなるものであり、餌は餌カゴに充填するだけと容易で、かつ、餌が餌カゴで保護されているため長持ちし、餌の交換が少なくて済むため手が汚れず、余分な餌も必要なく、更に餌カゴに疑似が装着されていることによりタコを強く誘う、使い勝手が良く画期的なタコ掛けである。
【符号の説明】
【００１９】  １  本考案餌カゴ式タコ掛け
２  タコ掛け針
３  餌カゴ下部
４  窓孔
５  オモリ
６  餌カゴ上部
７  擬餌
８  中心棒
９  道糸接続管
１０  開口部
【図１】
0003151267.tif 000003
【図２】
0003151267.tif 000004
【図３】
0003151267.tif 000005
(57)【要約】      （修正有）【課題】振り込め詐欺、交通事故など、市民の巻き込まれ得る災厄に対し、警察、役所、交通安全協会などが市民に配布し、事前の注意を喚起する啓発用印刷物を提供する。【解決手段】伝えたいメッセージが解答キーワードになるような問いをクロスワードパズルにし、印刷物本体に明記している事を特徴とする。本小冊子は市民の安全に関し、市民に啓発したい内容を設問や解答にし、短い各設問を読み、考え、解答していく事で啓発内容を確実に伝える事ができる。縦横の設問の解答として、矛盾のない正しい解答を得るためには、設問をよく読み、マス目に合う語数の言葉を、自ら試行錯誤して得る必要があり、啓発内容が伝わりやすい。ボールペン等を使い、自分の手を使って記入していくので、従来の販促冊子のようにただ読むだけの物よりも解答者の記憶に残りやすい。【選択図】図１
0003151265.tif 000002
【実用新案登録請求の範囲】
【請求項１】
啓発内容が問題と解答になっているクロスワードパズルを表記した、クロスワードパズル入り啓発用印刷物。
【考案の詳細な説明】
【技術分野】
【０００１】  本考案は、振り込め詐欺、交通安全など、市民の巻き込まれ得る災厄に対し、警察、役所、交通安全協会などが市民に配布し、事前の注意を喚起する啓発用印刷物に関する。
【背景技術】
【０００２】  従来の啓発用印刷物では、注意事項をイラスト入りなどで紹介しているものがあった。また、子供向けでは、テレビアニメのキャラクターなどを使った塗り絵などがあった。
【考案の概要】
【０００３】
【考案が解決しようとする課題】
【０００４】これには次のような欠点があった。
（イ）  書かれている内容を読み取るだけであり、一般市民には特に興味のわかない内容である場合が多く、ただ読むだけでは苦痛であり、例えば振り込め詐欺のように日進月歩で手口が巧妙化する犯罪対策を行う場合、複雑な手口の説明だけで文章量が多くなり最後まで読まなかったり、読み流す事が多い。
（ロ）  漫然と読み進めるだけで、選択したり迷ったり考えたりというプロセスが無く、記憶に残りにくい。
【課題を解決するための手段】
【０００５】  啓発したい内容を組み込んだ問題と、啓発したい内容が解答になっている問題を、縦横のヒント（１）として表記し、同一印刷物に縦横適宜な升目の回答記入欄（２）を設けてなるクロスワードパズル入り啓発用印刷物。
【考案の効果】
【０００６】  本考案の小冊子は市民の安全に関し、市民に啓発したい内容を設問や解答にし、短い各設問を読み、考え、解答していく事で啓発内容を確実に伝える事ができる。
縦横の設問の解答として、矛盾のない正しい解答を得るためには、設問をよく読み、マス目に合う語数の言葉を、自ら試行錯誤して得る必要があり、啓発内容が伝わりやすい。
ボールペン等を使い、自分の手を使って記入していくので、従来の販促冊子のようにただ読むだけの物よりも解答者の記憶に残りやすい。
全てを解答し終えた後は、自ら完成させた成果物であるので、従来の販促冊子のような、ただ渡され読むだけであるものよりも、解答後は愛着が生まれており、すぐに廃棄されにくく、読み返されやすい。
冊子にクロスワードの答えを載せる際は、解答中に見えてしまっては解答者のやる気をそぎ、啓発内容が伝わらない恐れがあるので、答え部分を剥離可能なシールなどで隠すことが望ましい。
答えを隠すためのシールは、啓発の内容にあわせ、例えば交通安全啓発用冊子であれば反射材のシールにするなど、ただ隠すだけでなく、クロスワードパズル終了後、答えを見るために剥がした後にも機能を持ち、使用でき、使用することで効果が生まれるものであることが望ましい。
【図面の簡単な説明】
【０００７】
【図１】  本考案の図面である。
【考案を実施するための形態】
【０００８】  （イ）適宜なサイズの紙に、啓発したい内容を組み込んだ問題と、啓発したい内容が回答になっている問題を縦横のヒント（１）として印刷する。
（ロ）問題と同一印刷物に回答記入用の縦横適宜な升目の回答記入欄（２）を設ける。
（ハ）縦横の問題に番号（３）を付け、その回答を記入する解答欄の縦横の升目にも問題と同じ番号（４）を付ける。
（ニ）縦横の升目の不要な枡（５）は黒く塗りつぶしておく。
【実施例】
【０００９】  以下、本考案の実施例について説明する。
適宜なサイズの紙に、クロスワードパズルのヒントと解答欄を印刷する。例えば、オレオレ詐欺対策のために合言葉を決めておくことが、騙されない対策になる事を伝えたい場合、ヒントに「オレオレ詐欺対策に、家族間でアイコトバを決めておきましょう」と記載し、アイコトバの部分を○○○○○と伏せ字で印刷し表記する。また、犯人は色々な役割で数人が警察官や弁護士になりすまして騙す事を伝えたい場合は、ヒントに「犯人は、家族や警察官、弁護士などに巧みにナリスマスプロです」と表記し、ナリスマスの部分を○○○○○と伏せ字で印刷し表記する。このように縦横の答えを伝えたい重要な言葉で組み合わせ、その答えを導くヒントを作成する。また、ヒントを作成するのと同時に縦横適宜な数の升目の解答欄に答えをカナではめ込み、升目に全てのヒントの回答が収まるかを確認する。そして、必要のない升目ができてしまった際はその枡を黒く塗りつぶしておく。そうしてできたヒントと回答を、適宜なサイズの紙にヒントと空欄の升目の解答欄を印刷する。
【産業上の利用可能性】
【００１０】  本考案のクロスワードパズル入り啓発用印刷物は、官公庁が市民に啓発活動を行っているあらゆるものに対応ができる。振り込め詐欺対策の啓発、交通事故対策の啓発、選挙への投票啓発、不法薬物禁止の啓発、ポイ捨て禁止の啓発等々の従来行っている啓発内容を問題と回答にするだけで魅力的な啓発物にすることが可能となる。また、官公庁の啓発だけでなく、商品の魅力を問題と回答にすることで民間企業の商品プロモーションにも応用ができる。
【符号の説明】
【００１１】  １  ヒント
２  回答記入欄
３  番号
４  番号
５  不要な枡
【図１】
0003151265.tif 000003
(57)【要約】      （修正有）【課題】シンク内で使用できる非常用飲料水付まな板を提供する。【解決手段】流し台６のシンク７内で食料品が切れるように、非常用飲料水タンク２にまな板部１を設け、シンク７内で使用できるようにするとともに、上部水道水で、洗い流しが楽にでき、切った食料品の破片飛散防止もできることとした。【選択図】図２
0003151264.tif 000002
【実用新案登録請求の範囲】
【請求項１】
非常用飲料水タンク７の面積の広い側面に、まな板部１を設け、反対側面の、底部となる部分に、すべり止め３を設けて、シンク７内でも使用できるまな板。
【考案の詳細な説明】
【技術分野】
【０００１】  本考案は台所で使用する、まな板に関するものである。
【背景技術】
【０００２】  従来から調理するため、食料品を切ることに供する、まな板というものがあった。
【考案の概要】
【考案が解決しようとする課題】
【０００３】  マンション等の流し台はスペースが狭く、まな板を置いて、調理する場所を確保するのに苦労する。また、食料品を切るたびに、まな板を手で持って、水道の蛇口で洗い流さなければならなかった。さらに、食料品を切るたびに、小さい食料品の破片が飛散し、後始末の掃除に苦労した。
【課題を解決するための手段】
【０００４】  本考案は、非常用飲料水タンク２に、まな板部１を設け、底部となる部分に、すべり止め３を設けて、シンク７内でも使用できるまな板としたことで、問題を解決している。
【考案の効果】
【０００５】  狭い流し台においても、シンク内のスペースを無駄にすることなく、食料品を切る場所が確保でき、直ぐに洗い流して、次の食料品を切ることができ、効率よい調理ができ、切った食料品の小さい破片も飛散せず、おまけに、非常用飲料水タンクの水の入れ替えまでもが、手軽に、また、忘れることがなくなった。非常時には貴重な水となるであろうし、当然、まな板として活躍する。
【図面の簡単な説明】
【０００６】
【図１】  本考案の斜視図
【図２】  本考案の使用状態を示す斜視図
【考案を実施するための形態】
【０００７】  本考案は図２に示すように、シンク７内に本考案を置き、食料品を切る。
【実施例】
【０００８】  本考案をシンク７内に置き、食料品を切った後は、上部の水道水で洗い流す。また、使用しないときは、シンク７内に立てておくことができる。また、非常用飲料水タンク７の水は、上部水道水で簡単に入れ替えることができる。
【符号の説明】
【０００９】  １  まな板部
２  非常用飲料水タンク
３  すべり止め
４  キャップ
５  取っ手
６  流し台
７  シンク
【図１】
0003151264.tif 000003
【図２】
0003151264.tif 000004
(57)【要約】      （修正有）【課題】毛髪の少ない人がヘアースタイルを楽しむことができる帽子を提供する。【解決手段】人工毛や毛糸の三つあみの先端部及び帽子本体の両耳付近内側にスナップボタンを縫い付け脱着可能とした。【選択図】図２
0003151207.tif 000002
【実用新案登録請求の範囲】
【請求項１】
毛髪を模した毛糸を着脱できるニット帽子。ニット帽子本体は、かぎ針編みで、長編み、長編み引き上げで編成する。素材は肌に刺激の少ない事を第一に考え、ウール、綿、シルク、レーヨン、ポリエステル等を使用。デザインは、キャップ型。異色糸の組み合わせで色が重複しないように考慮する。毛髪を模して、帽子と、同色及び異色の二種類の毛糸で、三つ編みを２０センチ位あみ、帽子本体の両耳付近の内側と三つあみの先に脱着可能なスナップボタンが縫い付けてある。
【請求項２】
毛髪を模した人工毛と毛糸を着脱できる布ミシン縫い帽子。布ミシン縫い帽子本体は、ストレッチ性のある布を、使用。素材は、請求項１と、同様  にする。デザインは、キャップ型。毛髪を模して、人工毛と、毛糸で７センチ位の、パーツを作り、帽子本体の両耳付近の内側と、パーツの先に脱着可能なスナップボタンが縫い付けてある。
【考案の詳細な説明】
【技術分野】
【０００１】本考案は、ニットかぎ針あみ、布ミシン縫いで、帽子内側に、脱着可能なボタンを付け、パーツの付け替えができ、伸縮性、肌触りのよい帽子に関するものである。
【背景技術】
【０００２】帽子に、毛髪を模したパーツが、脱着可能故毛髪の少ない人が、ヘヤースタイルを楽しむことができる。
【考案の開示】
【考案が解決しようとする課題】
【０００３】市販のヘヤーネット、帽子は、簡単に利用することが可能であるが、手作りである故、通気性、肌への刺激を少なくした素材や、デザインを選ぶ事ができる。既成用では上記を適用することは困難である。
【課題を解決するための手段】
【０００４】帽子本体は、手作り故、ニットの帽子は色が重複しないように形成する。ニット、布帽子共、帽子内側両耳付近に、毛髪に模したパーツを縫い付けてあり、脱毛、うす毛状態にある人が、帽子着用により、あまりひと目を気にせずに、生活ができヘヤースタイルを楽しむことができる。
【考案の効果】
【０００５】  本考案は、手作りで、毛糸かぎ針あみと、布ミシン縫いの帽子である。脱毛状態や、うす毛状態をかくし得ることと、素材は、肌への刺激の少ないものを選ぶことができる。帽子内側両耳付近に、毛髪に模したパーツを作り、脱着可能なスナップボタンが、帽子内側と、パーツの先に縫い付けてある。デザインは、二つとも、シンプルで、キャップ型である。実用性と、ファション性を加味して、上述の状態の人に提供することを目的とする。
【考案を実施するための最良の形態】
【０００６】添付図面に基づいて説明する。図１は、本考案ニットかぎ針あみ帽子。図２は、本考案布ミシン縫い帽子である。手作り故素材に考慮し、肌触りの良い物にする。ニット帽子においては、毛糸の色が重複しないよう組み合わせて形成する。帽子内側両耳付近に毛髪に模したパーツを作り、脱着可能にし換えパーツも形成する。脱毛うす毛状態であっても、本考案帽子着用によりひと目を余り気にせずに、毎日の生活の質の向上が、望める。
【図面の簡単な説明】
【０００７】
【図１】本考案ニット帽子１例を示した平面図
【図２】本考案ニット帽子の着用状態を示す図
【図３】本考案布帽子１例を示した平面図
【図４】本考案布帽子の着用状態を示す図
【符号の説明】
【０００８】      １：帽子本体
２：脱着パーツ
３：換脱着パーツ
４：コサージュ
【図１】
0003151207.tif 000003
【図２】
0003151207.tif 000004
【図３】
0003151207.tif 000005
【図４】
0003151207.tif 000006
【手続補正書】
【提出日】平成21年1月13日(2009.1.13)
【手続補正１】
【補正対象書類名】実用新案登録請求の範囲
【補正対象項目名】請求項１
【補正方法】変更
【補正の内容】
【請求項１】
三つあみ等の人工毛の先端部及び帽子本体の両耳付近内側に、スナップボタンを縫いつけることにより脱着可能とした、ニット帽子及び布ミシン縫い帽子。
【手続補正２】
【補正対象書類名】実用新案登録請求の範囲
【補正対象項目名】請求項２
【補正方法】変更
【補正の内容】
【請求項２】
ウール、綿、シルク等の素材でかぎ針を使用した長編み、長編み引き上げで編成した請求項１記載の帽子。
【手続補正書】
【提出日】平成21年3月16日(2009.3.16)
【手続補正１】
【補正対象書類名】実用新案登録請求の範囲
【補正対象項目名】請求項１
【補正方法】変更
【補正の内容】
【請求項１】
毛糸の三つあみの先端部及び帽子本体の両耳付近内側にスナップボタンを、縫い付け脱着可能としたニット帽子。
【手続補正２】
【補正対象書類名】実用新案登録請求の範囲
【補正対象項目名】請求項２
【補正方法】変更
【補正の内容】
【請求項２】
人工毛と毛糸の三つあみの先端部及び布帽子本体の両耳付近内側にスナップボタンを縫い付け脱着可能とした布ミシン縫い帽子。
(57)【要約】      （修正有）【課題】どのような杖および傘でも容易に保持でき、取り出す場合にも安全に取り出せる保持具を提供する。【解決手段】杖あるいは傘を垂直平坦壁に立て掛けるための杖および傘の保持具であって、杖または傘の垂直状態を保持するためのゴム等弾性体で構成した保持部１１と、該保持部１１を壁や扉など傘や杖等たて掛ける垂直平坦壁に取り付けるための磁石１０や両面接着シートとで構成し、前記保持部１１は、円筒形状の一部を切りかく、Ｃ形水平断面をなす様形成して杖等の挿入口２１及び取出し口２０として、上記保持具を構成する。【選択図】図１
0003151210.tif 000002
【実用新案登録請求の範囲】
【請求項１】
杖あるいは傘を垂直平坦部に立て掛ける保持具であって、垂直状態を保持する保持部が弾性材料で構成され、保持部が円筒形状で、杖および傘挿入部幅より、取り出し部幅が狭く、立て掛ける垂直平坦部の間に、磁石が設置され、前期保持部と磁石が固定されていることを特徴とする杖および傘等保持具。
ここから書き始めます。
【請求項２】
杖あるいは傘を垂直平坦部に立て掛ける保持具であって、垂直状態を保持する保持部が弾性材料で構成され、保持部が円筒形状で、杖および傘挿入部幅より、取り出し部幅が狭く、保持部と立て掛ける垂直平坦部の間に、両面接着シートが設置され、前期保持部と接着シートが固定されていることを特徴とする杖および傘保持具。
【考案の詳細な説明】
【技術分野】
【０００１】  本考案は杖および傘等比較的細長い物（以下「杖等」と言う）の転倒防止用保持具に関する。
【背景技術】
【０００２】  従来、杖などを立て掛けるための保持具として、特許文献１のように挟み込む保持部や、特許文献２などマジックテープを使用したものがある。しかし、これらは杖等への細工が必要であったり、扱いが難しいなど、実使用に耐えられない物であった。
【特許文献１】実願２００８−１０６９
【特許文献２】実願２００６−３２４８
【考案の開示】
【考案が解決しようとする課題】
【０００３】  従来の保持具は、杖等の太さや、適応する場所や形状などに制限があった。また、従来は、杖等を保持する場合、操作に手間がかかり、さらに取り出す場合、力が必要で、高齢者等にとって転倒するなど極めて深刻な事態が発生している。
【課題を解決するための手段】
【０００４】  本考案は、このような問題に、鑑み創案されたもので、例えば病院の寝台、トイレ、玄関などの傍らに保持具を固定し、高齢者等でも簡単に杖等を固定および取り出しできる保持具を提供するものである。【０００５】  本考案は、杖等を保持する保持部がウレタン、ウレタンフォーム、ゴム、発砲ゴム、発砲プラスチックなどの弾性体で構成されている。さらに、保持部の杖等を挿入する部分が、図１のように、挿入部の幅（２１）より、取り出し部の幅（２０）が狭く、杖等を挿入、保持しやすくなっている。また、取り出し分（２０）が狭いため、立て掛けた杖等が、外れにくく、しっかりと固定できる。取り出す場合、保持部が弾性体で形成されているため、軽い力で容易に取り出すことが可能になった。【０００６】  また、さらに保持部（１１）がマグネット（１０）や両面粘着性テープ（１０）で固定できるので、しっかりと壁、扉、棚、ベッド、玄関、椅子、机、窓などに固定できる。（１０）にマグネットを使用した場合は、接合部（１２）を接着剤、両面テープ、その他機械的な接合など、一体化すればよい。
【考案の効果】
【０００７】    本考案では、保持部が弾性体で構成されているため、高齢者の体に引っ掛けて転倒することも無く、万が一転倒した場合でも、体を傷つけることがない。また、保持部と固定する垂直平坦部との固定に、磁石あるいは両面粘着性テープで構成されているため、強い力が働くと、容易に脱落するため安全に取り扱うことができ、しかも復旧も容易である。【０００８】  本考案は、医療施設、老人福祉施設などでも使用できる。これらの施設には金属によるパーテーションが多いため、保持部固定にはマグネットが良い。さらに、必要な場所へ容易に移動できる。また、金属でない部分には、両面粘着性テープであっても同様である。さらに、杖等は長さについても個人差があり、固定高さも自由に変更が可能である。【０００９】  本考案の保持部は、弾性体で作られているため、色を自由に着色することができる。そのため、例えば、本考案の保持部を複数個並べて使用する場合、利用者は自分の杖の置き場所を色で認識でき、間違えを減らすことができる。【００１０】  本考案の構成部品は、弾性体と固定用の磁石あるいは両面粘着テープのみであるため、安価に製造・販売することができる。さらに、本考案は、軽量かつ小型であるため、携帯用としても適している。【００１１】  さらに本考案の保持具は金属であれば磁石で、その他材料は両面粘着テープで固定可能で、電車、自家用車、持ち歩くカバン、さらには自分の身体の一部など、ありとあらゆるところで杖等の保持具として利用可能である。
【図面の簡単な説明】
【００１２】
【図１】本考案の杖および傘等保持具を示す平面図である。
【図２】図１に示す杖および傘等保持具の正面である。
【図３】図１に示す杖および傘等保持具の背面図である。
【図４】図１に示す杖および傘等保持具の断面図である。
【図５】図１に示す杖および傘等保持具の使用状態を示す図である。
【符号の説明】
［１０］保持具本体
［１１］保持具固定具
［１２］保持具／固定具界面
［２０］取り出し部幅
［２１］挿入部幅
【図１】
0003151210.tif 000003
【図２】
0003151210.tif 000004
【図３】
0003151210.tif 000005
【図４】
0003151210.tif 000006
【図５】
0003151210.tif 000007
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
杖あるいは傘を垂直平坦壁に立て掛けるための杖および傘の保持具であって、杖または傘の垂直状態を保持するための保持部と、該保持部を垂直平坦壁に取り付けるための磁石から構成され、前記保持部は、円筒形状の一部を切りかく、Ｃ形水平断面を有することを特徴とする杖および傘等保持具。
【請求項２】
杖あるいは傘を垂直平坦壁に立て掛けるための杖および傘の保持具であって、杖または傘の垂直状態を保持するための保持部と、該保持部を垂直平坦壁に取り付けるための両面接着シートから構成され、前記保持部は、円筒形状の一部を切りかく、Ｃ形水平断面を有することを特徴とする杖および傘等保持具。
【手続補正２】
【補正対象書類名】明細書
【補正対象項目名】０００２
【補正方法】変更
【補正の内容】
【０００２】  従来、杖などを立て掛けるための保持具として、特許文献１のように挟み込む保持部や、特許文献２など着脱自在テープを使用したものがある。しかし、これらは杖等への細工が必要であったり、扱いが難しいなど、実使用に耐えられない物であった。
【特許文献１】実願２００８−１０６９
【特許文献２】実願２００６−３２４８